(57)【要約】      （修正有）【課題】製造コストを抑えながらも、演色性を高め、ムラを抑えた照明装置を提供する。【解決手段】複数の白色ＬＥＤ３と、波長が６４０ｎｍ〜６８０ｎｍの光を照射する赤色ＬＥＤ４とを有する。白色ＬＥＤ３と赤色ＬＥＤ４は交互に並べて配置され、この配置において、端には白色ＬＥＤ３が配置されており、白色ＬＥＤ３と赤色ＬＥＤ４は、光を透過する乳白色のカバー５によって覆われている。【選択図】図１
2019003882.tif 000002
【特許請求の範囲】
【請求項１】
複数の白色ＬＥＤと、
波長が６４０ｎｍ〜６８０ｎｍの光を照射する赤色ＬＥＤとを有し、
前記白色ＬＥＤと前記赤色ＬＥＤは交互に並べて配置され、
前記配置において、端には前記白色ＬＥＤが配置されており、
前記白色ＬＥＤと前記赤色ＬＥＤは、光を透過する乳白色のカバーによって覆われていることを特徴とする照明装置。
【請求項２】
前記赤色ＬＥＤが照射する光の波長は６６０ｎｍであることを特徴とする請求項１に記載の照明装置。
【請求項３】
前記白色ＬＥＤ及び前記赤色ＬＥＤに使用するＬＥＤのエネルギー消費効率が１５０[lm/ｗ]以上３００[lm/ｗ]未満であることを特徴とする請求項1又は２に記載の照明装置。
【請求項４】
前記白色ＬＥＤが青色ＬＥＤと黄色に光る蛍光体とから構成するものであることを特徴とする請求項１〜３に記載の照明装置。
【発明の詳細な説明】
【技術分野】
【０００１】
本発明は、ＬＥＤを用いた照明装置に関し、より詳しくは、赤色ＬＥＤと白色ＬＥＤを組合わせた演色性の高いＬＥＤ照明装置に関する。
【背景技術】
【０００２】
ＬＥＤ照明装置は、ＬＥＤ自体が各々光源であり、必要とされる波長の光を増やしたい場合は、その波長の光を発するＬＥＤを組み込むことがあり、このような照明装置はカクテルライトとも呼ばれる。このような照明装置において、従来、低コストで演色性を効果的に高めることを目的としたＬＥＤ照明装置が提案されている（特許文献１）。
【先行技術文献】
【特許文献】
【０００３】
【特許文献１】特開２０１１−２４００１０号公報
【発明の概要】
【発明が解決しようとする課題】
【０００４】
従来の照明装置においては、ＬＥＤが直視される環境で使用されることがあり、マルチシャドウと呼ばれるＬＥＤ照明装置に独特の影が発生する。これを防ぐために光を透過する乳白色のカバー（透光板）でＬＥＤを覆うことがあるが、波長の異なるＬＥＤを組み合わせて用いた場合、カバー上に色のムラが生じたり、全体として色の付いた光源となることがある。また、このような光源は、人が室内などで抵抗を感じるものであり、特に居住空間では顕著であった。
【０００５】
このような問題に鑑み、本発明の課題は、既存のＬＥＤを用いて製造コストを抑えながらも、目視上白色に見え、演色性が高く、ムラを抑えた照明装置を提供することにある。
更に、白色ＬＥＤからの白色光に赤色ＬＥＤからの光合成に必要な赤色光を加えつつ、目視上白色光とし、人が室内や居住空間などで抵抗を感じることなく、しかも果物や野菜などの植物を栽培することができる照明装置を提供することにある。
【０００６】
本発明者は、上記課題を解決するために鋭意検討を重ねた。その結果、以下の発明を完成するに至った。
【課題を解決するための手段】
【０００７】
（１）複数の白色ＬＥＤと、
波長が６４０ｎｍ〜６８０ｎｍの光を照射する赤色ＬＥＤとを有し、
前記白色ＬＥＤと前記赤色ＬＥＤは交互に並べて配置され、
前記配置において、端には前記白色ＬＥＤが配置されており、
前記白色ＬＥＤと前記赤色ＬＥＤは、光を透過する乳白色のカバーによって覆われている照明装置。
（２）赤色ＬＥＤが照射する光の波長は６６０ｎｍであることを特徴とする（１）に記載の照明装置
（３）白色ＬＥＤ及び赤色ＬＥＤに使用するＬＥＤのエネルギー消費効率が１５０[lm/ｗ]以上３００[lm/ｗ]未満ものであることを特徴とする（１）又は（２）に記載の照明装置。
（４）白色ＬＥＤが青色ＬＥＤと黄色に光る蛍光体とから構成するものであることを特徴とする（１）〜（３）に記載の照明装置。
【発明の効果】
【０００８】
本発明によれば、既存のＬＥＤを用いて製造コストを抑えながらも、目視上白色に見え、しかも演色性が高く、ムラを抑えた照明装置を提供することができる。また、白色ＬＥＤからの白色光に、赤色ＬＥＤからの光合成に必要な赤色光を加えつつ、目視上白色であるため、人が室内などで抵抗を感じることなく、しかも果物や野菜などの植物を栽培することが可能となる。
【図面の簡単な説明】
【０００９】
【図１】本願の実施形態に係る照明装置を示す。（ａ）は斜視図であり、（ｂ）は分解斜視図である。
【図２】本願の実施形態に係る照明装置のＬＥＤチップと基板を示す平面図である。中間部分を省略して示している。
【発明を実施するための形態】
【００１０】
以下、本願の実施形態を図面を参照しながら説明する。
【００１１】
図１に示すように、本実施形態に係る照明装置１０は、一体式ＬＥＤ照明と呼ばれる構成をしている。照明装置１０は、天井などに取り付けられ、ＬＥＤに電力を供給する電源装置を備えた本体１と、本体１に収容された基板２と、基板２の上に並べて固定された複数の白色ＬＥＤ３と、白色ＬＥＤ３の間に配置された赤色ＬＥＤ４と、ＬＥＤを覆い、光を透過する乳白色をしたカバー５とを備えている。
【００１２】
図２に示すように、基板２の上には白色ＬＥＤ３と赤色ＬＥＤ４が交互に並べて配置されている。赤色ＬＥＤ４は、波長が６４０ｎｍ〜６８０ｎｍの光を照射するものであることが好ましく、波長が６６０ｎｍの光を照射するものが最も好ましい。赤色ＬＥＤとしては、波長が６３０ｎｍのものも使用されるが、波長が６３０ｎｍのものは波長が６６０ｎｍのものに比べて視感度が４倍ほど高く、照明装置１０が照射する光がピンク色になってしまうため、好ましくない。波長が６４０ｎｍ〜６８０ｎｍの光を照射する赤色ＬＥＤ４を用いることで、赤色の光が白色の光の中に埋没し、照明装置１０が白色の光を照射することができる。
【００１３】
白色LED３は、青色LEDの上に補色である黄色に光る蛍光体を載せて励起させ、青と黄の光を合成して白色光とするもの、青色・赤色・緑色のLEDを組合せて白色光とするもの、紫色LEDに赤色・緑色・青色の蛍光体を励起させて白色光とするものなど、様々なものを使用することができる。なお、前記青色LEDに黄色に光る蛍光体を載せて励起させるタイプのものは、発光効率に優れており、白色ＬＥＤ３として使用するのに好ましい。
白色ＬＥＤ３及び赤色ＬＥＤ４に使用するＬＥＤは様々なものを使用することができるが、エネルギー消費効率が１５０[lm/ｗ]以上であることが好ましい。１５０[lm/ｗ]以上であると、特に色ムラが生じことのない白色光源となるためである。
【００１４】
白色ＬＥＤ３と赤色ＬＥＤ４の数は照明装置１０の長さに応じて任意の数を選択することができるが、端に配置されるＬＥＤは白色ＬＥＤ３とすることが好ましい。これにより、赤色ＬＥＤ４の発する光が白色ＬＥＤ３が発する白色の光の中に埋没し、端が赤色に見えるのを防ぐことができる。白色ＬＥＤ３と赤色ＬＥＤ４は複数の列に配置することもできる。この場合も、端に配置されるＬＥＤは白色ＬＥＤ４とすることが好ましい。
【００１５】
以上に説明した本実施形態によれば、一般的なＬＥＤ蛍光管と比較して１０％ほどのコストアップで、演色性Ｒａ＝９０以上という高い演色性を備えた照明装置１０を実現することができる。また、白色ＬＥＤ３のみの場合と比較して、植物が光合成において必要とする赤色成分が多くなるため、本実施形態に係る照明装置１０を用いることにより、室内でレタスやイチゴなどの植物を容易に栽培することができる。
【００１６】
近年、ＬＥＤチップの発光効率が高まったことにより植物を栽培するために必要とされる波長の光を含んだＬＥＤ照明装置が安価に提供される環境が整い、植物を人工光環境で栽培する環境（植物工場など）が実現しつつある。しかし、植物の光合成を優先した場合、白色のＬＥＤチップのみを用いた照明装置を用いるわけに行かず、光合成に重視される青色や赤色の光を加えた紫やピンク系の光となり、人には抵抗がある光源となっていた。本発明においては、波長ごとに人間の目が光を感じ取る度合いが異なる現象（視感度）を利用し、ＬＥＤチップを直接（リアル）の光源とせず、光源の前に間接（バーチャル）な光源となるスクリーンを設けることで、白色に見える光源とすることを可能とした。
従って、植物工場などで植物を栽培する際に有効なことは勿論の事、自宅などの室内でも演色性の高い照明として日常生活に使用しながら、室内での植物の栽培にも非常に有効な照明である。
【００１７】
なお、本発明は、一体式ＬＥＤ照明に限らず、直管型ＬＥＤランプなど、複数のＬＥＤを用いたあらゆる照明装置に利用することができる。
【符号の説明】
【００１８】
１０  照明装置
１  本体
２  基板
３  白色ＬＥＤ
４  赤色ＬＥＤ
５  カバー
【図１】
2019003882.tif 000003
【図２】
2019003882.tif 000004